(57)【要約】【課題】天然石を用いたヒーリングに際して効率化をはかる器具の提供。【解決手段】持ち手２０を備える台座１０は、穴１１と穴１２と穴１３と穴１４と穴１５と穴１６と穴１７と穴１８と穴１９とを備え、それぞれ中にバネ４１とバネ４２とバネ４３とバネ４４とバネ４５とバネ４６とバネ４７とバネ４８とバネ４９とがはめられ、さらにそれぞれバネをおさえるようにグロッシュラー３１とルビー３２と青色サファイア３３と黄色サファイア３４と薄紫色サファイア３５と薄青色サファイア３６とジルコン３７とキャッツアイ３８と真珠３９とがはめられ留められる。【選択図】図１
0003121862.tif 000002
【実用新案登録請求の範囲】
【請求項１】
持ち手また接着テープを備えた台座に２つ以上の穴がありそれぞれの穴にそれぞれ異なる天然石がはめ込まれ、身体に接近または密着また接着させることを特徴とするヒーリング器具。
【請求項２】
天然石のうち一つがほかの天然石より出っ張るようにはめ込まれることを特徴とする請求項１記載のヒーリング器具。
【請求項３】
それぞれの穴にバネがはめ込まれさらにそれを押さえるように天然石がはめ込まれた請求項１または請求項２記載のヒーリング器具。
【請求項４】
穴が台座を貫通することを特徴とする請求項１または請求項２または請求項３記載のヒーリング器具。
【請求項５】
天然石とはグロッシュラーとルビーと青色サファイアと黄色サファイアと薄紫色サファイアと薄青色サファイアとジルコンとキャッツアイと真珠とであることを特徴とする請求項１または請求項２または請求項３または請求項４記載のヒーリング器具。
【考案の詳細な説明】
【技術分野】
【０００１】  本実用新案は、天然石を用いたヒーリングに際して、複数の天然石を効率よく使用する器具の提供に関するものである。
【背景技術】
【０００２】  従来、天然石を利用したヒーリング方法があり、目的によって数種の天然石を使い分けていた（アン・ヒル編著  「図説新・人間医学百科」エンタプライズ１９８１年）。
【考案の開示】
【考案が解決しようとする課題】
【０００３】  しかし、数種の天然石を順番に使用していくのは時間がかかり、また前記天然石を紛失する危険も高かった。
本実用新案は、以上のような従来の問題を克服し、ヒーリングに要する時間を短縮し前記天然石を紛失する危険を減少させるとともにより効果的にヒーリングを実施する器具を提供する。
【課題を解決するための手段】
【０００４】  請求項１記載の考案は、持ち手また接着テープを備えた台座に２つ以上の穴がありそれぞれの穴にそれぞれ異なる天然石がはめ込まれ、身体に接近または密着また接着させることを特徴とするヒーリング器具である。【０００５】  請求項２記載の考案は、天然石のうち一つがほかの天然石より出っ張るようにはめ込まれることを特徴とする請求項１記載のヒーリング器具である。【０００６】  請求項３記載の考案は、それぞれの穴にバネがはめ込まれさらにそれを押さえるように天然石がはめ込まれた請求項１または請求項２記載のヒーリング器具である。【０００７】  請求項４記載の考案は、穴が台座を貫通することを特徴とする請求項１または請求項２または請求項３記載のヒーリング器具である。【０００８】  請求項５記載の考案は、天然石とはグロッシュラーとルビーと青色サファイアと黄色サファイアと薄紫色サファイアと薄青色サファイアとジルコンとキャッツアイと真珠とであることを特徴とする請求項１または請求項２または請求項３または請求項４記載のヒーリング器具である。
【考案の効果】
【０００９】  本考案は、ヒーリングに用いる複数の天然石を持ち手を備えた台座に設置することにより、天然石を紛失する恐れが少なく、また短い作業時間でより大きなヒーリング効果が得られる器具を提供する。さらに、前記台座を接着テープで身体に固定できるようにすることで容易にヒーリングを行うことができ、また一つの天然石が他の天然石と比べて出っ張るようにはめ込むことでこれを中心として台座を回転しやすく、またバネが天然石を穴の外に押し出そうとすることで台座を身体に密着させた際に全ての天然石が身体に密着しやすく、また穴が台座を貫通することで天然石を通過した光を身体にあてるヒーリング方法も実施することができる器具を提供する。
【考案を実施するための最良の形態】
【００１０】  以下、本考案の一実施例を図１に従って説明する。
【実施例】
【００１１】  台座１０は、持ち手２０を備え、穴１１と穴１２と穴１３と穴１４と穴１５と穴１６と穴１７と穴１８と穴１９とを備える。【００１２】  台座１０に開いた穴１１と穴１２と穴１３と穴１４と穴１５と穴１６と穴１７と穴１８と穴１９は、それぞれ台座１０を貫通していてもよい。【００１３】  そして、穴１１にはバネ４１をはめさらに前記バネをおさえるようにグロッシュラー３１をはめて留め、穴１２にはバネ４２をはめさらに前記バネをおさえるようにルビー３２をはめて留め、穴１３にはバネ４３をはめさらに前記バネをおさえるように青色サファイア３３をはめて留め、穴１４にはバネ４４をはめさらに前記バネをおさえるように黄色サファイア３４をはめて留め、穴１５にはバネ４５をはめさらに前記バネをおさえるように薄紫色サファイア３５をはめて留め、穴１６にはバネ４６をはめさらに前記バネをおさえるように薄青色サファイア３６をはめて留め、穴１７にはバネ４７をはめさらに前記バネをおさえるようにジルコン３７をはめて留め、穴１８にはバネ４８をはめさらに前記バネをおさえるようにキャッツアイ３８をはめて留め、穴１９にはバネ４９をはめさらに前記バネをおさえるように真珠３９をはめて留める。【００１４】  バネ４１とバネ４２とバネ４３とバネ４４とバネ４５とバネ４６とバネ４７とバネ４８とバネ４９とがそれぞれグロッシュラー３１とルビー３２と青色サファイア３３と黄色サファイア３４と薄紫色サファイア３５と薄青色サファイア３６とジルコン３７とキャッツアイ３８と真珠３９を穴１１と穴１２と穴１３と穴１４と穴１５と穴１６と穴１７と穴１８と穴１９の外に押し出そうとすることにより、台座１０を身体に密着させようとする場合に身体の凹凸に関わらずグロッシュラー３１とルビー３２と青色サファイア３３と黄色サファイア３４と薄紫色サファイア３５と薄青色サファイア３６とジルコン３７とキャッツアイ３８と真珠３９との全てが一度に身体に密着しやすくなる。【００１５】  グロッシュラー３１とルビー３２と青色サファイア３３と黄色サファイア３４と薄紫色サファイア３５と薄青色サファイア３６とジルコン３７とキャッツアイ３８と真珠３９とはそれぞれ直径１ミリメートル程度以上でよく、バネ４１とバネ４２とバネ４３とバネ４４とバネ４５とバネ４６とバネ４７とバネ４８とバネ４９もそれぞれ直径１ミリメートル程度以上でよい。【００１６】  また穴１１と穴１２と穴１３と穴１４と穴１５と穴１６と穴１７と穴１８と穴１９の直径はそれぞれグロッシュラー３１とルビー３２と青色サファイア３３と黄色サファイア３４と薄紫色サファイア３５と薄青色サファイア３６とジルコン３７とキャッツアイ３８と真珠３９とバネ４１とバネ４２とバネ４３とバネ４４とバネ４５とバネ４６とバネ４７とバネ４８とバネ４９の直径と同程度以上であってよく、ただしその両端の口部はそれぞれグロッシュラー３１とルビー３２と青色サファイア３３と黄色サファイア３４と薄紫色サファイア３５と薄青色サファイア３６とジルコン３７とキャッツアイ３８と真珠３９とバネ４１とバネ４２とバネ４３とバネ４４とバネ４５とバネ４６とバネ４７とバネ４８とバネ４９の直径より小さくなるようにすることで、グロッシュラー３１とルビー３２と青色サファイア３３と黄色サファイア３４と薄紫色サファイア３５と薄青色サファイア３６とジルコン３７とキャッツアイ３８と真珠３９とバネ４１とバネ４２とバネ４３とバネ４４とバネ４５とバネ４６とバネ４７とバネ４８とバネ４９が飛び出そうとするのをとめてもよい。【００１７】  また、グロッシュラー３１とルビー３２と青色サファイア３３と黄色サファイア３４と薄紫色サファイア３５と薄青色サファイア３６とジルコン３７とキャッツアイ３８と真珠３９とバネ４１とバネ４２とバネ４３とバネ４４とバネ４５とバネ４６とバネ４７とバネ４８とバネ４９とは、たとえば穴１１と穴１２と穴１３と穴１４と穴１５と穴１６と穴１７と穴１８と穴１９の口部等にそれぞれ設けられた突起などによってとびださないようにしてもよい。【００１８】  台座１０の身体側の面に両面接着テープ５０をはることにより、台座１０を身体に固定できるようにしてもよい。また片面接着テープにより身体に固定してもよく、この場合台座１０にテープを貼る専用の部位を設けてもよい。【００１９】  また中央に位置する例えば薄紫色サファイア３５が、グロッシュラー３１とルビー３２と青色サファイア３３と黄色サファイア３４と薄青色サファイア３６とジルコン３７とキャッツアイ３８と真珠３９と比べて出っ張るようにすることにより、台座１０を身体に密着させようとする力が弱まったときにも薄紫色サファイア３５のみは身体に密着し、これを中心として台座１０を多少回転できるようにしてもよい。【００２０】  グロッシュラー３１はカルシウムとアルミニウムを主成分とするガーネットなどのことである。【００２１】  ルビー３２はアルミニウムと酸素で構成されているコランダムなどのことである。【００２２】  青色サファイア３３、黄色サファイア３４、薄紫色サファイア３５、薄青色サファイア３６はアルミニウムと酸素で構成されているコランダムなどのことである。【００２３】  ジルコン３７はジルコニウムを主要元素に持つケイ酸塩鉱物などのことである。【００２４】  キャッツアイ３８は、クリソベリル・キャッツアイであってよく、猫目効果（シャトヤンシー）を示すクリソベリルなどであってよく、猫目効果（キャッツアイ効果）とは石内部で反射された光が石の外部に集まって線条（白い光の帯）が出現する効果などである。【００２５】  真珠３９（パール）とは、生きた真珠貝の中で球状または半球状などに形成される代謝生産物であって、その外見しえる部分のおもな構成物質が真珠貝の真珠層と等質であるものなどである。【００２６】  穴１１また穴１２また穴１３また穴１４また穴１５また穴１６また穴１７また穴１８また穴１９には、アクアマリン、アゲート、アズライト、アベンチュリン、アベンチュリン・クォーツ、アマゾナイト、アメシスト、アメジスト、アメジスト・クォーツ、アレキサンドライト、アンバー、アンモライト、インカローズ、インド翡翠、エメラルド、オニキス、オパール、オーロラライト、ガーデン水晶、ガーネット、カーネリアン、カルサイト、かんらん石、キャッツアイ、クォーツ、クリソコーラ、クリスタルクォーツ、グロッシュラー、ゴメーダ、コーライト、コーラル、ざくろ石、サファイア、サンストーン、���ードオニキス、サードニックス、ジェイド、シトリン、シトリン・クォーツ、しまめのう、ジルコン、ジャスパー、ショール、スギライト、スペクトロライト、スモーキー・クォーツ、セレナイト、ソーダライト、ダイヤモンド、タイガーズアイ、タンザナイト、ターコイズ、デザートローズ、トパーズ、トルコ石、トルマリン、パイライト、バッファローストーン、バラ輝石、ハーキマー・ダイヤモンド、パープライト、パール、ヒスイ、ファントム水晶、ブラック・トルマリン、ブラッドストーン、ペリドット、ブルーレース・アゲイト、フローライト、ヘマタイト、ペリドット、マラカイト、ムーンストーン、めのう、モルダバイト、ラブラドライト、ラピスラズリ、ラリマー、ラン水晶、ルチル・クォーツ、ルビー、ローズクォーツ、ロードクロサイト、ロードナイト、藍玉、藍銅鉱、紅玉、紅水晶、青メノウ、碧玉、紅玉髄、赤鉄鉱、天河石、煙水晶、黄玉、方ソーダ石、黄水晶、黄鉄鉱、金針入り水晶、蛍石、毛糸水晶、血石、血玉髄、琥珀、金剛石、砂金石、砂漠のバラ、珊瑚、真珠、水晶、杉石、孔雀石、青玉、青金石、空色しまメノウ、曹灰長石、蛋白石、庭園水晶、鉄電気石、電気石、月長石、透石膏、虎目石、菱マンガン鉱、翡翠、日長石、方解石、紫水晶、緑玉、珪孔雀石、瑠璃、そのほかの天然石を設置してもよい。【００２７】  台座１０や持ち手２０が鉄や金やその他の金属である場合、適度の重量があるため、身体に密着させる際に便利でありまた耐久性の面でも優れている。また台座１０が鉄などである場合、その表面を金などで鍍金することにより、汗などによる腐食を防止したほうがよい。【００２８】  持ち手２０はリング型であってもよい。【００２９】  また、台座１０と持ち手２０は一体化し、たとえば直径は１、５センチメートル程度以上の指輪状であってよい。
【図面の簡単な説明】
【００３０】
【図１】本考案の一実施例を示す断面図である。
【符号の説明】
【００３１】１０  台座
１１  グロッシュラー設置用穴
１２  ルビー設置用穴
１３  青色サファイア設置用六
１４  黄色サファイア設置用穴
１５  薄紫色サファイア設置用穴
１６  薄青色サファイア設置用穴
１７  ジルコン設置用穴
１８  キャッツアイ設置用穴
１９  真珠設置用穴
２０  持ち手
３１  グロッシュラー
３２  ルビー
３３  青色サファイア
３４  黄色サファイア
３５  薄紫色サファイア
３６  薄青色サファイア
３７  ジルコン
３８  キャッツアイ
３９  真珠
４１  グロッシュラー押し出し用バネ
４２  ルビー設置押し出し用バネ
４３  青色サファイア押し出し用バネ
４４  黄色サファイア押し出し用バネ
４５  薄紫色サファイア押し出し用バネ
４６  薄青色サファイア押し出し用バネ
４７  ジルコン押し出し用バネ
４８  キャッツアイ押し出し用バネ
４９  真珠押し出し用バネ
５０  両面テープ
【図１】
0003121862.tif 000003